(57)【要約】【課題】  操作の簡単な電子機器を提供する。【解決手段】  記録媒体（１０５）の装着が可能な媒体装着部材（１０６）と、媒体装着部材に装着された記録媒体に対するデータの記録処理および再生処理のうち少なくとも一方の処理を行う処理手段（２０３、２０６）とを有し、媒体装着部材は、機器本体に対し、機器本体の外部からの操作力によって移動可能に保持され、かつ媒体装着部材の移動を検出する検出手段（３０２）を有し、処理手段は、検出手段により媒体装着部材の移動が検出されることに応じて記録媒体に対する上記の処理を行う。【選択図】  図２
2005175844.tif 000002
【特許請求の範囲】
【請求項１】
記録媒体の接続が可能な媒体接続部材と、
前記媒体接続部材に接続された前記記録媒体に対するデータの記録処理および再生処理のうち少なくとも一方の処理を行う処理手段とを有し、
前記媒体接続部材は、機器本体に対し、該機器本体の外部からの操作力によって移動可能に保持され、かつ前記媒体接続部材の移動を検出する検出手段を有し、
前記処理手段は、前記検出手段により前記媒体接続部材の移動が検出されることに応じて前記記録媒体に対する前記処理を行うことを特徴とする電子機器。
【請求項２】
それぞれ記録媒体の接続が可能な複数の前記媒体接続部材を有し、かつ前記検出手段は、前記各媒体接続部材の移動を検出し、
前記処理手段は、前記検出手段により前記移動が検出された前記媒体接続部材に接続された前記記録媒体に対する前記処理を行うことを特徴とする請求項１に記載の電子機器。
【請求項３】
前記処理手段は、第１のデータの前記処理を行う第１のモードと、前記第１のデータとは異なる種類の第２のデータの前記処理を行う第２のモードとで動作可能であり、
かつ前記複数の媒体接続部材は、前記第１のデータを記録するための記録媒体が接続される第１の媒体接続部材と、前記第２のデータを記録するための記録媒体が接続される第２の媒体接続部材とを含み、
前記処理手段は、前記検出手段により前記第１の媒体接続部材の移動が検出されたときは前記第１のモードで動作し、前記第２の媒体接続部材の移動が検出されたときは前記第２のモードで動作することを特徴とする請求項２に記載の電子機器。
【請求項４】
前記第１のデータが動画データであり、前記第２のデータが静止画データであることを特徴とする請求項３に記載の電子機器。
【請求項５】
前記処理手段は、前記記録媒体に対する前記処理の実行中に該記録媒体が接続された前記媒体接続部材の移動が前記検出手段によって検出されたときは、該処理を停止することを特徴とする請求項１から４のいずれか１つに記載の電子機器。
【請求項６】
前記媒体接続部材において前記操作力を受ける操作部が、前記記録媒体の接続口が形成された面とは別の面に設けられていることを特徴とする請求項１から５のいずれか１つに記載の電子機器。
【請求項７】
前記操作部が、前記機器本体の外面に露出していることを特徴とする請求項６に記載の電子機器。
【請求項８】
前記操作部が、透明材料により形成されていることを特徴とする請求項７に記載の電子機器。
【請求項９】
前記検出手段は、前記記録媒体が接続されていない状態で前記媒体接続部材が移動したときに該移動を検出しない構造を有することを特徴とする請求項１から８のいずれか１つに記載の電子機器。
【請求項１０】
請求項１から９のいずれか１つに記載の電子機器であって、
被写体像を光電変換する撮像素子を有し、
前記処理手段は、前記撮像素子を用いて得られた画像データの前記処理を行うことを特徴とする撮像装置。
【発明の詳細な説明】
【技術分野】
【０００１】
本発明は、デジタルスチルカメラやビデオカメラ等の電子機器に関するものであって、記録媒体に対する所定の処理を行わせるための操作を簡単に行うことができるものである。
【背景技術】
【０００２】
デジタルビデオカメラやデジタルカメラ、携帯電話、ＰＤＡなどの情報端末といった電子機器においては、情報を記録したり、記録された情報を読み出したりするためにＳＤメモリカードやコンパクトフラッシュ（登録商標）カード（ＣＦカード）等の着脱可能な記録メディアが使用されている。これら記録メディアの読み出し書き込みを行うカードスロットは、電子機器の側面近くに配置された基板に実装されている（例えば、特許文献１参照）。
ここで、電子機器の側面近くに配置された基板にカードスロットを実装した構成においては、基板にカードスロットだけが実装されていたり、基板のうちカードスロットの実装領域以外の領域にスイッチ類等が実装されていたりする。
【０００３】
また、電子機器によっては、使用する記録メディアが一種類で、かつ一枚の場合に限られず、同種類の複数の記録メディアを複数のカードスロットに入れて使用するものや、異なる種類の記録メディアを、この種類に対応したカードスロットに入れて使用するもの等がある。
【特許文献１】特開2000-188709号公報（段落番号００１１、００１２、００２２、第１図、２図）
【発明の開示】
【発明が解決しようとする課題】
【０００４】
しかしながら、上述したように電子機器の側面近くに配置され、カードスロットが実装された基板に、スイッチ等の他の電気部品も実装すると、スイッチ等によってカードスロットの位置が分かりづらくなるといった問題がある。
【０００５】
また、異なる種類の記録メディアが装着される電子機器においては、使用する記録メディアの種類を変更する際に、カードスロットが配置された位置から離れた位置に設けられたスイッチを操作する必要があり、ユーザ（特に、操作に慣れていないユーザ）にとって扱いづらいといった問題がある。
【０００６】
本発明は、上述した課題を鑑みてなされたもので、使用する記録メディアを変更（後述する記録モードを変更）するための操作を分かり易くし、電子機器内のスペースを有効に使ってスイッチを配置することで電子機器の小型化を図ることを目的とする。
【課題を解決するための手段】
【０００７】
本発明の電子機器は、記録媒体の接続が可能な媒体接続部材と、媒体接続部材に接続された記録媒体に対するデータの記録処理および再生処理のうち少なくとも一方の処理を行う処理手段とを有し、媒体接続部材は、機器本体に対し、機器本体の外部からの操作力によって移動可能に保持され、かつ媒体接続部材の移動を検出する検出手段を有し、処理手段は、検出手段により媒体接続部材の移動が検出されることに応じて記録媒体に対する上記の処理を行うことを特徴とする。
【０００８】
本発明の電子機器は、被写体像を光電変換する撮像素子を有し、処理手段において撮像素子を用いて得られた画像データの前記処理を行う撮像装置に適用することができる。
【発明の効果】
【０００９】
本発明によれば、記録媒体が接続される媒体接続部材の移動可能として、この移動を検出したときに記録媒体に対する処理を行わせているため、従来のように上記の処理を行わせるためのスイッチ等を別途機器本体の外面に設ける必要がなくなる。これにより、媒体接続部材の位置を、外部から容易に確認することも可能となる。また、媒体接続部材の移動可能とすることで、この移動スペース内に検出手段を設けることもでき、媒体接続部材の配置場所から離れた位置にスイッチ等を設ける場合（従来）に比べて、電子機器内のスペースを効率良く利用して電子機器の小型化を図ることができる。
【００１０】
しかも、記録媒体に対する処理を行わせるためには、この記録媒体が接続された媒体接続部材を操作するだけでよいため、従来のように上記の処理を行わせるためのスイッチ等を別途電子機器外面に設けた場合に比べて、容易かつ迅速な操作を可能とさせることができる。
【００１１】
それぞれ記録媒体の接続が可能な複数の前記媒体接続部材を設けた場合には、検出手段により移動が検出された媒体接続部材に接続された記録媒体に対する上記の処理を行うことで、媒体接続部材に接続された記録媒体に対応させて上記の処理を行わせることができる。これにより、各記録媒体に上記の処理を行わせるためのスイッチを別途電子機器外面に設ける必要がなくなり、電子機器の操作性を向上させることができる。
【００１２】
ここで、第１のデータ（例えば、動画データ）の前記処理を行う第１のモードと、第１のデータとは異なる種類の第２のデータ（例えば、静止画データ）の前記処理を行う第２のモードとで動作可能であって、かつ第１のデータを記録するための記録媒体が接続される第１の媒体接続部材と、第２のデータを記録するための記録媒体が接続される第２の媒体接続部材とを設け、検出手段により第１の媒体接続部材の移動が検出されたときは第１のモードで動作させ、第２の媒体接続部材の移動が検出されたときは第２のモードで動作させることができる。これにより、媒体接続部材に接続された記録媒体の記録形式に応じた処理を行うことができるとともに、第１および第２のモードで動作動作させるためのスイッチ等を別途電子機器外面に設ける必要がなくないため、電子機器の操作性を向上させることができる。
【００１３】
記録媒体に対する前記処理の実行中に該記録媒体が接続された媒体接続部材の移動が検出手段によって検出されたときに、該処理を停止させることで、上記の処理の開始および停止を記録媒体接続部材の操作だけで行うことができ、電子機器の操作性を向上させることができる。
【００１４】
媒体接続部材において操作力を受ける操作部を、記録媒体の接続口が形成された面とは別の面に設けることで、記録媒体の接続を妨げることなく、媒体接続部材を操作（移動）させることができる。
【００１５】
操作部を機器本体の外面に露出させることで、電子機器の外部から媒体接続部材を容易に操作することができる。そして、操作部を透明材料により形成すれば、媒体接続部材に記録媒体が接続されているか否かを電子機器外部から容易に確認させるようにすることができる。
【００１６】
検出手段を、記録媒体が接続されていない状態で媒体接続部材が移動したときに該移動を検出しない構造とすることで、記録媒体が接続されていないにも拘わらず、処理手段において上記の処理を実行させることを防止することができる。
【発明を実施するための最良の形態】
【００１７】
以下、本発明の実施例について説明する。
【実施例１】
【００１８】
図１は、本発明の実施例１であるデジタルビデオカメラ（電子機器）を背面側から見たときの外観斜視図である。また、図２は、本実施例のデジタルビデオカメラにおける内部構成を示すブロック図である。図３は、本実施例のデジタルビデオカメラのうちカードスロットの構造を示す断面図である。図４は、カードスロットの一部の構成を示す外観斜視図である。
【００１９】
図１において、デジタルビデオカメラ１０１は、レンズ部１０２と、撮影画像を観察するためのビューファインダー１０３および液晶画面１０４と、メモリカード１０５が装着されるカードスロット１０６とを有している。
【００２０】
ここで、ビューファインダー１０３は、デジタルビデオカメラ１０１に対して回動可能に取り付けられており、図１に示す状態からカメラ１０１に対して突出する方向に回動させると、撮影画像の表示面をカメラ外部に露出させることができる。
【００２１】
デジタルビデオカメラ１０１では、ＣＣＤやＣＭＯＳセンサ等の撮像素子２０１において、レンズ部１０２によって形成された光学像（物体像）を光電変換によって電気信号に変換し、撮像素子２０１から読み出した電荷蓄積信号に対して、Ａ／Ｄコンバータ２０２および信号処理回路（処理手段）２０３で信号処理を行うことで画像データ（動画データ又は静止画データ）を生成する。
【００２２】
そして、動画データの場合には、レコーダー部２０４を介してテープ等に記録することができる。また、静止画像を撮像する場合には、カードスロット１０６に差し込まれたメモリカード１０５に静止画データを記録することができる。
【００２３】
ここで、静止画データが記録されたメモリカード１０５をカードスロット１０６から取り出して、パソコンやプリンタ等の周辺機器に接続すると、この周辺機器において静止画データを利用することができるようになる。
【００２４】
一方、信号処理回路２０３を経て生成された画像データは、表示駆動回路２０５によって液晶画面１０３やビューファインダー１０４に撮影画像として表示される。ここで、信号処理回路２０３や表示駆動回路２０５の駆動は、バッテリ２０７からの電力供給を受けて動作するシステムコントロールマイコン（処理手段）２０６によって制御される。
【００２５】
図３で示すように、カードスロット（媒体接続部材）１０６は、差し込まれたメモリカード１０５を受けるスロット外壁３０１と、差し込まれたメモリカード１０５の端子部と電気的に接続して、静止画データの書き込みおよび読み出しを行うための端子部（不図示）とを有している。
【００２６】
スロット外壁３０１と基板３０４との間にはバネ部材３０３が配置されており、このバネ部材３０３はスロット外壁３０１をデジタルビデオカメラ１０１の外装部材１０１ａ側に付勢している。この構成において、スロット外壁３０１は、外力を受けると矢印Ｘ１方向に変位するようになっており、外力が無くなると矢印Ｘ２方向に変位するようになっている。
【００２７】
また、外装部材１０１ａには、スロット外壁３０１の一部が入り込む穴部が形成されているとともに、上記のスロット外壁３０１の一部には透明部材（操作部）３０９が取り付けられている。これにより、透明部材３０９は、カメラ外部に露出された状態となっている。
【００２８】
プッシュスイッチ（検出手段）３０２は、基板３０４に実装されているとともに、プッシュスイッチ３０２および基板３０４間に配置されたバネ部材３０５の付勢力を受けることで基板３０４の表面から所定量離れた状態となっている。すなわち、後述するようにプッシュスイッチ３０２に外力が加わらない状態では、プッシュスイッチ３０２に設けられた電極３０６が、基板３０４上に形成された電極３０７から離れた状態となっている。一方、外力を受けたプッシュスイッチ３０２が矢印Ｘ１方向に変位すると、電極３０６が電極３０７に接触して、信号が出力されるようになっている。
【００２９】
なお、プッシュスイッチ３０２への外力が無くなると、プッシュスイッチ３０２は、バネ部材３０５の付勢力によって矢印Ｘ２方向に変位して、電極３０６および電極３０７が非接触状態となる。
【００３０】
電極３０６および電極３０７の接触に伴う信号は、基板３０４を介してシステムコントロールマイコン２０６に出力され、システムコントロールマイコン２０６は、入力信号に基づいて後述するようなモード切り替えを行う。
【００３１】
スロット外壁３０１の一部には穴部３０８が形成されており、この穴部３０８内には、バネ部材３０５の付勢力を受けたプッシュスイッチ３０２の一部が入り込むようになっている。このとき、プッシュスイッチ３０２は、スロット外壁３０１に差し込まれたメモリカード１０５と接触するようになっている。
【００３２】
スロット外壁３０１（カードスロット１０６）は、図４に示すように、柔軟性のあるケーブル（フレキ基板）４０１を介してシステムコントロールマイコン２０６と接続されており、カードスロット１０６でメモリカード１０５から読み出したデータがシステムコントロールマイコン２０６に送られたり、システムコントロールマイコン２０６から送られたデータをメモリカード１０５内に書き込んだりすることができる。
【００３３】
次に、本実施例のデジタルビデオカメラ１０１におけるモード切り替え動作について説明する。本実施例のデジタルビデオカメラ１０１において、動画記録モードに設定すると、レコーダー部２０４にセットされたテープ等の記録媒体に、動画撮影によって得られた動画データを記録させることができる。また、静止画記録モードに設定すると、カードスロット１０６に挿入されたメモリカード１０５に、静止画撮影によって得られた静止画データを記録したり、メモリカード１０５に記録された静止画データを読み出してビューファインダー１０３で表示（再生）させたりすることができる。
【００３４】
図５および図６はそれぞれ、カードスロット１０６がユーザによって押されていないとき、および押されているときのデジタルビデオカメラ１０１の部分拡大図を示す。カードスロット１０６が押されていないときには、スロット外壁３０１や透明部材３０９が、外装部材１０１ａの表面と同じ位置にあり、カードスロット１０６からシステムコントロールマイコン２０６には信号が出力されないようになっている。
【００３５】
一方、カードスロット１０６が押されているときには、カードスロット１０６が、外装部材１０１ａの表面よりもカメラ内側に入り込んでおり、上述したようにカードスロット１０６からシステムコントロールマイコン２０６に信号が出力されるようになっている。
【００３６】
本実施例のデジタルビデオカメラにおいて、動画撮影を行う場合には使用者はレコーダー部２０４にテープなどの記録媒体をセットして撮影を行うことになる。ここで、使用者が静止画撮影を行うのにふさわしい被写体を発見したとき等のように動画撮影から静止画撮影に切り替える場合には、使用者はデジタルビデオカメラ１０１における設定モードを、動画記録モードから静止画記録モードに切り替えることになる。
【００３７】
従来のデジタルビデオカメラにおいて、モード切り替えを行う場合には、カードスロットが設けられた位置とは異なる位置にあるモード切替スイッチを操作することによって、記録モードを動画記録モードから静止画記録モードに切り替えていた。すなわち、専用のテープ・カード切替スイッチを操作することで静止画記録モードへの変更を行ったり、電源ＯＦＦ・再生・テープ記録の３つのモードを切り替えるためのスイッチに、静止画記録モードに切り替えるための機能を持たせ、このスイッチを操作することによって静止画記録モードへの変更を行ったりしていた。
【００３８】
一方、本実施例のデジタルビデオカメラ１０１では、メモリカード１０５が差し込まれたカードスロット１０６を操作することによって、動画記録モードから静止画記録モードへの変更を行うようにしている。なお、静止画記録モードから動画記録モードに切り替える場合には、再度カードスロット１０６を操作することによってモード切替を行うようにすることができる。
【００３９】
すなわち、カメラ外部から観察できるカードスロット１０６（スロット外壁３０１）を押し込んで、図５に示す状態から図６に示す状態とすることによって、カードスロット１０６からシステムコントロールマイコン２０６に信号が出力され、システムコントロールマイコン１０６は信号入力を受けてデジタルビデオカメラ１０１での記録モードを動画記録モードから静止画記録モードに切り替える。
【００４０】
従来のデジタルビデオカメラにおいて、カメラ外装のうちカードスロットが設けられた側の表面にスイッチを配置しようとする場合、スイッチが実装された別の基板をカードスロットと並べて配置しなければならず、部品の配置スペースを確保するためにカメラが大型化してしまっていた。
【００４１】
しかし、本実施例では、上述したように、メモリカード１０５が差し込まれるカードスロット１０６を静止画記録モードに切り替えるためのスイッチとして用いているため、カメラ外装におけるスイッチの占める面積を抑えることができ、カメラ本体の小型化を図ることが可能となる。
【００４２】
また、カメラ外部に露出する部分には、透明部材３０９が設けられており、カードスロット１０６にメモリカード１０５が差し込まれているか否かをカメラ外部から容易に確認することができるようになっている。
【００４３】
さらに、スロット外壁３０１には、上述したようにプッシュスイッチ３０２の大きさに対応した穴部３０８が形成されているため、スロット外壁３０１にメモリカード１０５が差し込まれていない状態でカードスロット１０６を押し込むと、スロット外壁３０１だけが図３中矢印Ｘ１方向に移動するだけであって、プッシュスイッチ３０２が押し込まれることはない。
【００４４】
すなわち、カードスロット１０６にメモリカード１０５が差し込まれていない状態では、カードスロット１０６（スロット外壁３０１）を押し込んだとしても、静止画記録モードに切り換わることはない。
【００４５】
一方、カードスロット１０６にメモリカード１０５が差し込まれた状態で、スロット外壁３０１を押し込むと、スロット外壁３０１とともにメモリカード１０５が押し込まれ、メモリカード１０５を介してプッシュスイッチ３０２が押し込まれることになる。この場合には、カードスロット１０６からの信号がシステムコントロールマイコン２０６に出力されて、静止画記録モードに切り替わるようになっている。
【００４６】
従来のデジタルビデオカメラにおいて、カードスロットにメモリカードが差し込まれていない状態で静止画記録モードの設定操作を行うと、静止画記録モードに設定された上で「メモリカードが差し込まれていない」旨の情報が液晶表示画面やビューファインダーに表示され、メモリカードが差し込まれていないことを使用者に知らせるようになっていた。
【００４７】
しかし、本実施例のデジタルビデオカメラ１０１では、カードスロット１０６にメモリカード１０５が差し込まれていない状態では、使用者が静止画記録モードに切り替えようとしても切り替わらないようになっている。このため、従来のように「メモリカードが差し込まれていない」旨の情報を表示する必要がないとともに、使用者が上記の表示に気付かずに静止画撮影を行ってしまうといったことを防止することができる。
【００４８】
なお、本実施例では、メモリカード１０５がカードスロット１０６に差し込まれていない状態にあるときに、スロット外壁３０１が押し込まれても上述したメカ的な構成によってプッシュスイッチ３０２をオフ状態のままとして静止画記録モードに変更されないようにしているが、このような動作を電気的な構成によって行うこともできる。例えば、スロット外壁３０１およびプッシュスイッチ３０２が一体的に移動する構成において、スロット外壁３０１にメモリカード１０５が装着されたことを検出するための検出素子（例えば、フォトインタラプタ）を設け、この検出素子からの出力がない場合には、カードスロット１０６が操作されていないと判断して静止画記録モードの変更を禁止するようにすることができる。
【００４９】
また、本実施例において、静止画撮影を行う場合には、カードスロット１０６にメモリカード１０５を差し込み、このカードスロット１０６を押し込むだけで静止画記録モードに切り替えることができるため、カメラ操作に慣れていないものにとっても容易にモード切り替えを行うことができる。
【００５０】
さらに、透明部材３０９の表面に、図５や図６に示す「ＰＵＳＨ」の表示を付すことで、この部分がスイッチであることを使用者に認識させて、カードスロット１０６が不用意に押し込まれるのを防止することができる。
【００５１】
一方、従来のデジタルビデオカメラでは、静止画データ又は動画データを記録させるために、記録の開始と停止を操作するボタンが設けられていた。本実施例のデジタルビデオカメラにおいても、このようなボタンを用いて記録の開始と停止を行うようにしてもよいが、カードスロット１０６の押し込み操作によって画像データの記録の開始と停止を実行させるようにすれば、スイッチの数を減らしてカメラの小型化を図ることができる。
【００５２】
また、メモリカード１０５への静止画データの記録中において、カードスロットを押し込むことによって記録動作を中断させるようにすることもできる。
【００５３】
なお、本実施例では、動画データを記録するユニット（レコーダー部２０４）と静止画データを記録するユニット（カードスロット１０６）を１つずつ設けた場合について説明したが、各ユニットを複数設けるようにしてもよい。また、種類の異なる記録メディアを装着可能な構成としてもよい。
【実施例２】
【００５４】
次に、本発明の実施例２であるデジタルビデオカメラについて説明する。
【００５５】
図７は、本実施例のデジタルビデオカメラ１０１を背面側から見たときの外観斜視図である。また、図８は、本実施例のデジタルビデオカメラ１０１における内部構成を示すブロック図である。これらの図において、実施例１で説明した部材と同じ部材については同一符号を付して説明する。
【００５６】
本実施例のデジタルビデオカメラでは、図７に示すように、メモリカード１０５が差し込まれる第１のカードスロット１０６と、メモリカード１０５とは種類の異なるメモリカード７０１が差し込まれる第２のカードスロット（媒体接続部材）７０２とを有している。また、実施例１におけるレコーダー部を設けていない。なお、他の構成については実施例１におけるカメラ構成と同様である。
【００５７】
デジタルビデオカメラ１０１では、ＣＣＤやＣＭＯＳセンサ等の撮像素子２０１において、レンズ部１０２によって形成された光学像（物体像）を光電変換によって電気信号に変換し、撮像素子２０１から読み出した電荷蓄積信号に対して、Ａ／Ｄコンバータ２０２および信号処理回路２０３で信号処理を行うことで画像データ（動画データ又は静止画データ）を生成する。
【００５８】
そして、動画データの場合には、第１のカードスロット１０６に差し込まれたメモリカード１０５に記録することができる。また、静止画データの場合には、第２のカードスロット７０２に差し込まれたメモリカード７０１に記録することができる。
【００５９】
ここで、動画データが記録されたメモリカード１０５を第１のカードスロット１０６から取り出したり、静止画データが記録されたメモリカード７０１を第２のカードスロット７０２から取り出したりして、これらのメモリカード１０５、７０１をパソコンやプリンタ等の周辺機器に接続すると、この周辺機器において動画データや静止画データを利用することができるようになる。
【００６０】
一方、信号処理回路２０３を経て生成された画像データは、表示駆動回路２０５によって液晶画面１０３やビューファインダー１０４に撮影画像として表示される。ここで、信号処理回路２０３や表示駆動回路２０５の駆動は、バッテリ２０７からの電力供給を受けて動作するシステムコントロールマイコン２０６によって制御される。
【００６１】
なお、メモリカード１０５、７０１は、使用者の選択によって静止画データ記録用として用いたり、動画データ記録用として用いたりしてもよい。
【００６２】
第１のカードスロット１０６の構成は、実施例１で説明したカードスロット１０６（図３〜図６参照）と同じ構成となっている。また、第２のカードスロット７０２も、第１カードスロット１０６と同様の構成となっている。
【００６３】
すなわち、メモリカード１０５が差し込まれた状態で第１のカードスロット１０６を押し込むと、第１のプッシュスイッチ３０２（図３のプッシュスイッチ３０２と同じ）の電極が基板上の電極と接触して、システムコントロールマイコン２０６に信号が出力される。また、メモリカード７０１が差し込まれた状態で第２のカードスロット７０２を押し込むと、第２のプッシュスイッチ（検出手段）８０１（図３のプッシュスイッチ３０２と同じ構成）の電極が基板上の電極と接触して、システムコントロールマイコン２０６に信号が出力される。
【００６４】
ここで、第１および第２のカードスロット１０６、７０１は、異なる種類のメモリカード１０５、７０１が差し込まれるようになっているため、この大きさやデータの書き込み／読み出しを行うための端子の構成が異なる。
【００６５】
次に、本実施例のデジタルビデオカメラ１０１におけるモード切り替え動作について説明する。ここで、図９は、第１のカードスロット１０６や第２のカードスロット７０２を押し込むことによって記録モードを切り替える際の動作を示すフローチャートである。
【００６６】
使用者がデジタルビデオカメラ１０１に設けられた不図示の電源スイッチを操作することによって電源をオン状態にすると、デジタルビデオカメラ１０１が起動する（ステップＳ９０１）。
【００６７】
ステップＳ９０２では、前回のカメラ電源がオフ状態となる直前に設定されていた記録モード（動画記録モード又は静止画記録モード）を、システムコントロールマイコン２０６内のメモリに格納された情報に基づいて判断する。ここで、動画記録モードに設定されていた場合には、ステップＳ９０３において動画撮影が可能な状態（スタンバイ状態）にする。この動画撮影スタンバイ状態となったときには、使用者は動画撮影を行うことが可能となる。
【００６８】
一方、ステップＳ９０２で記録モードが動画記録モードでないと判断した場合には、ステップＳ９０４で静止画撮影が可能な状態（スタンバイ状態）にする。この静止画スタンバイ状態となったときには、使用者は静止画撮影を行うことが可能となる。
【００６９】
デジタルビデオカメラ１０１が静止画記録モードに設定されている場合において、例えば、使用者が動画撮影を行うのにふさわしい被写体を発見した場合には、使用者は記録モードの設定を静止画記録モードから動画記録モードに切り替える必要がある。
【００７０】
ここで、従来のデジタルビデオカメラにおける記録モードの切り替えは、カードスロットが配置された位置とはまったく異なる位置に設けられたモード切替スイッチを操作することによって行っていた。例えば、専用のモード切替スイッチを操作して記録モードの切り替えを行ったり、電源ＯＦＦ・再生・動画記録モードの３つのモードを切り替えるためのスイッチに、静止画記録モードに切り替える機能を持たせ、このスイッチを操作することによって記録モードの切り替えを行ったりしていた。
【００７１】
しかし、本実施例のデジタルビデオカメラ１０１では、第１のカードスロット１０６を押し込むことによって第１のプッシュスイッチ３０２をオン状態とし、システムコントロールマイコン２０６に対して記録モードの設定を動画記録モードに切り替えるための指示を行うことができる。すなわち、使用者に分かり易い簡単な操作で動画記録モードに変更することが可能となる。
【００７２】
図９のステップＳ９０５では、第１のプッシュスイッチ３０２がオン状態であるか否かを判別し、オン状態である場合にはステップＳ９０６に進み、オフ状態である場合にはステップＳ９０７に進む。
【００７３】
ステップＳ９０６では、記録モードを静止画記録モードから動画記録モードに切り替えて、動画撮影を開始させる。ステップＳ９０７では、第２のプッシュスイッチ８０１がオン状態にあるか否かを判別し、オン状態であればステップＳ９０８に進み、オフ状態であればステップＳ９０５に戻る。
【００７４】
ステップＳ９０８では、記録モードを静止画記録モードに設定して、静止画撮影を開始させる。そして、静止画撮影が完了すると、ステップＳ９０９において静止画撮影スタンバイ状態とする。
【００７５】
一方、ステップＳ９１０では、第１のプッシュスイッチ３０２がオン状態となるまで待機し、オン状態となった時点でステップＳ９１１に進む。ステップＳ９１１では、動画撮影を停止させて、ステップＳ９１２で動画撮影スタンバイ状態とする。
【００７６】
本実施例では、２つの記録モードのうち各記録モードに対応した２つのメモリカードが装着されるデジタルビデオカメラについて説明した。しかし、記録モードに対応したメモリカード（記録メディア）の数はこれに限られず、記録モードに対応した複数種類の記録メディアを装着可能としてもよい。
【００７７】
また、上述した実施例ではデジタルビデオカメラについて説明したが、本発明はこれに限らず、記録メディアを着脱可能とするデジタルカメラ、ＰＤＡ、カメラ付き携帯電話などの電子機器について適用することができる。
【図面の簡単な説明】
【００７８】
【図１】実施例１であるデジタルビデオカメラの外観斜視図。
【図２】実施例１であるデジタルビデオカメラの内部構成を示すブロック図。
【図３】実施例１におけるカードスロットの断面図。
【図４】実施例１におけるカードスロットおよび外装部材の外観斜視図。
【図５】カードスロットが押し込まれていないときの部分拡大図。
【図６】カードスロットが押し込まれているときの部分拡大図。
【図７】実施例２であるデジタルビデオカメラの外観斜視図。
【図８】実施例２であるデジタルビデオカメラの内部構成を示すブロック図。
【図９】実施例２におけるモード切り替え動作を示すフローチャート。
【符号の説明】
【００７９】
１０１：デジタルビデオカメラ
１０２：レンズ部
１０３：液晶表示部
１０４：ビューファインダー
１０５：メモリカード
１０６：カードスロット
３０１：スロット外壁
３０２：プッシュスイッチ
３０３、３０５：バネ部材
３０４：基板
３０６：電極（プッシュスイッチ側）
３０７：電極（基板側）
３０８：穴部
３０９：透明部材
４０１：ケーブル
【図１】
2005175844.tif 000003
【図２】
2005175844.tif 000004
【図３】
2005175844.tif 000005
【図４】
2005175844.tif 000006
【図５】
2005175844.tif 000007
【図６】
2005175844.tif 000008
【図７】
2005175844.tif 000009
【図８】
2005175844.tif 000010
【図９】
2005175844.tif 000011